【手続補正書】
【提出日】平成18年1月11日(2006.1.11)
【手続補正１】
【補正対象書類名】明細書
【補正対象項目名】発明の名称
【補正方法】変更
【補正の内容】
【発明の名称】ディスク回転駆動機構及びディスクドライブ装置
【手続補正２】
【補正対象書類名】明細書
【補正対象項目名】特許請求の範囲
【補正方法】変更
【補正の内容】
【特許請求の範囲】
【請求項１】  ディスク状記録媒体を載置するターンテーブルと、回転するすべての部材の合成した重心を、回転中に回転軸上に位置させる自動調芯機構と、ターンテーブル及び自動調芯機構を回転させるスピンドルモータとを備えたディスク回転駆動機構であって、
自動調芯機構は、非磁性材料からなり一方の端面が閉塞された扁平な筒状をしたケース体と、該ケース体の内部空間内において移動自在に設けられた２つ以上のバランス部材と、該バランス部材を停止時及び低速回転時に吸着する吸着マグネットとを備え、
上記ケース体をスピンドルモータのスピンドル軸に支持すると共に、その閉塞側端面を上記ターンテーブルのテーブル部とした
ことを特徴とするディスク回転駆動機構。
【請求項２】  請求項１に記載したディスク回転駆動機構であって、
自動調芯機構のケース体の開放された端面がスピンドルモータのロータケースの閉塞された端面により覆われた
ことを特徴とするディスク回転駆動機構。
【請求項３】  請求項１に記載したディスク回転駆動機構であって、
上記自動調芯機構のバランス部材が、上記ケース体の内周面を直接転動するようにした
ことを特徴とするディスク回転駆動機構。
【請求項４】  ディスク状記録媒体を載置するターンテーブルと、回転するすべての部材の合成した重心を、回転中に回転軸上に位置させる自動調芯機構と、ターンテーブル及び自動調芯機構を回転させるスピンドルモータとを備え、
自動調芯機構は、非磁性材料からなり一方の端面が閉塞された扁平な筒状をしたケース体と、該ケース体の内部空間内において移動自在に設けられた２つ以上のバランス部材と、該バランス部材を停止時及び低速回転時に吸着する吸着マグネットとを備え、
上記ケース体をスピンドルモータのスピンドル軸に支持すると共に、その閉塞側端面を上記ターンテーブルのテーブル部としたディスク回転駆動機構を用いた
ことを特徴とするディスクドライブ装置。
【請求項５】  請求項４に記載したディスクドライブ装置であって、
自動調芯機構のケース体の開放された端面がスピンドルモータのロータケースの閉塞された端面により覆われた
ことを特徴とするディスクドライブ装置。
【請求項６】  請求項４に記載したディスクドライブ装置であって、
上記自動調芯機構のバランス部材が、上記ケース体の内周面を直接転動するようにした
ことを特徴とするディスクドライブ装置。
【手続補正３】
【補正対象書類名】明細書
【補正対象項目名】０００１
【補正方法】変更
【補正の内容】
【０００１】
【発明の属する技術分野】
本発明はディスク回転駆動機構に関する技術分野に属する。詳しくは、バランス部材を移動空間内において移動させることによりスピンドルモータによる回転が回転中心の偏心を生じない状態で為されるようにしたいわゆる自動調芯機構を備えたディスク回転駆動機構において、部品点数の削減及び組立作業性の向上を図る技術に関する。
【手続補正４】
【補正対象書類名】明細書
【補正対象項目名】００１９
【補正方法】変更
【補正の内容】
【００１９】
そこで、本発明は、上記した問題点を克服し、部品点数の削減、組立作業性の向上を図り、コストを低減することを課題とする。
【手続補正５】
【補正対象書類名】明細書
【補正対象項目名】００２０
【補正方法】変更
【補正の内容】
【００２０】
【課題を解決するための手段】
本発明は、上記した課題を解決するために、自動調芯機構を、非磁性材料からなり一方の端面が閉塞された扁平な筒状をしたケース体と、該ケース体の内部空間内において移動自在に設けられた２つ以上のバランス部材と、該バランス部材を停止時及び低速回転時に吸着する吸着マグネットとから構成し、上記ケース体をスピンドルモータのスピンドル軸に支持すると共に、その閉塞側端面を上記ターンテーブルのテーブル部としたものである。
【手続補正６】
【補正対象書類名】明細書
【補正対象項目名】００２１
【補正方法】変更
【補正の内容】
【００２１】
従って、本発明にあっては、非磁性材料からなるケース体の閉塞側端面をターンテーブルのテーブル部としたので、従来、ターンテーブルのテーブル部としていた非磁性の金属製のテーブル部が不要となり、従来必要であったセンタリングガイド部に金属製のテーブル部を一体化するためのインサート成形を行なう必要がなく、部品点数の削減及びコストの低減を図ることができる。
【手続補正７】
【補正対象書類名】明細書
【補正対象項目名】００２２
【補正方法】変更
【補正の内容】
【００２２】
【発明の実施の形態】
以下に、本発明の各実施の形態を添付図面を参照して説明する。尚、以下に示した各実施の形態は、本発明を光ディスクや光磁気ディスクの如き記録ディスクに対する再生や記録を行うディスクドライブ装置のディスク回転駆動機構に適用したものである。
【手続補正８】
【補正対象書類名】明細書
【補正対象項目名】００６３
【補正方法】変更
【補正の内容】
【００６３】
【発明の効果】
以上に記載したところから明らかなように、本発明は、自動調芯機構を、非磁性材料からなり一方の端面が閉塞された扁平な筒状をしたケース体と、該ケース体の内部空間内において移動自在に設けられた２つ以上のバランス部材と、該バランス部材を停止時及び低速回転時に吸着する吸着マグネットとから構成し、上記ケース体をスピンドルモータのスピンドル軸に支持すると共に、その閉塞側端面を上記ターンテーブルのテーブル部としたことを特徴とする。
【手続補正９】
【補正対象書類名】明細書
【補正対象項目名】００６４
【補正方法】変更
【補正の内容】
【００６４】
従って、本発明にあっては、非磁性材料からなるケース体の閉塞側端面をターンテーブルのテーブル部としたので、従来、ターンテーブルのテーブル部としていた非磁性の金属製のテーブル部が不要となり、従来必要であったセンタリングガイド部に金属製のテーブル部を一体化するためのインサート成形を行なう必要がなく、部品点数の削減及びコストの低減を図ることができる。
【手続補正１０】
【補正対象書類名】明細書
【補正対象項目名】００６５
【補正方法】変更
【補正の内容】
【００６５】
請求項２と請求項５に記載した発明にあっては、ケース体の開口端面をロータケースの閉塞側端面で覆うようにしたので、ケース体内への塵埃などの侵入を防ぐことができ、よって、バランス部材のケース体内におけるスムーズな移動をいつまでも維持することができる。
【手続補正１１】
【補正対象書類名】明細書
【補正対象項目名】００６６
【補正方法】変更
【補正の内容】
【００６６】
請求項３と請求項６に記載した発明にあっては、自動調芯機構のバランス部材が、ケース体の内周面を直接転動するようにしたので、リング状のレース部材をケース体とは別体に形成し該ケース体にレース部材を内嵌したものに比較して、部品点数の低減、径方向の寸法の小型化を図ることができると共に、バランス部材の転動面とスピンドル軸との同心度を一致させることができ、自動調芯機構の精度を向上させることができる。
【手続補正１２】
【補正対象書類名】明細書
【補正対象項目名】符号の説明
【補正方法】変更
【補正の内容】
【符号の説明】
１…ディスクドライブ装置、２…スピンドルモータ、８…記録ディスク（ディスク状記録媒体）、１０…ディスク回転駆動機構、１１…スピンドル軸、１２…自動調芯機構、１３…ターンテーブル、１７…ロータケース、２１…ケース体、２２…吸着マグネット、２３…移動空間（ケース体の内部空間）、２４…バランス部材、２６…テーブル部（閉塞側端面）、２Ａ…スピンドルモータ、１０Ａ…ディスク回転駆動機構、１２Ａ…自動調芯機構、１３Ａ…ターンテーブル、３５…ロータケース（ケース体）、３８…移動空間、３９…吸着マグネット、４１…凹Ｒ面（内周面）、４２…バランス部材、４３…テーブル部